(57)【特許請求の範囲】
【請求項１】
並列する複数の接点を有するカードが装着されるケースと、このケースに前記カードが装着されたときに、前記複数の接点のそれぞれと接触するよう並列して設けられる複数の端子とを備えるカード用コネクタであって、
前記ケースは合成樹脂からなり、前記ケースには、前記複数の端子が並列する方向に延び、前記複数の端子のそれぞれの一部をインサート成形により埋設する端子埋設部が設けられ、
前記複数の端子のうち、ウェルドラインの発生が予測される前記端子埋設部の範囲に位置する隣り合う端子において、それらの隣り合う端子のそれぞれの前記端子埋設部に埋設された前記一部は、前記複数の端子が並列する方向に曲がった部分を含むとともに、その曲がった部分が前記ケースの厚さ方向における一方の面で前記端子埋設部から露出した
ことを特徴とするカード用コネクタ。
【請求項２】
請求項１記載の発明において、前記隣り合う端子のそれぞれの前記曲がった部分は互いに、前記複数の端子が並列する方向と前記ケースの厚さ方向とに直交する方向において部分的に重なって位置するよう設けられた
ことを特徴とするカード用コネクタ。
【請求項３】
請求項１または２に記載の発明において、前記隣り合う端子の前記一部のうち、前記曲がった部分が前記一方の面で露出し、前記曲がった部分を挟んで位置する端子の部分のそれぞれが前記ケースの厚さ方向における他方の面で露出した
ことを特徴とするカード用コネクタ。
【発明の詳細な説明】
【技術分野】
【０００１】
本発明は、並列する複数の端子を合成樹脂に埋設して固定するカード用コネクタに関する。
【背景技術】
【０００２】
カード用コネクタの従来技術としては、特許文献１に示すものがある。この従来技術は、並列する複数の接点を有するカードが装着されるケースと、このケースにカードが装着されたときに、複数の接点のそれぞれと接触するよう並列して設けられる端子とを備えている。
【０００３】
ケースは合成樹脂製である。このケースには、複数の端子のそれぞれの一部をインサート成形により埋設する端子埋設部が設けられている。複数の端子のそれぞれは直線状に細長く延びた形状をしている。
【特許文献１】特開２００１−３４４５７２公報（図１，４）
【発明の開示】
【発明が解決しようとする課題】
【０００４】
ところで、合成樹脂の成形において、成形型内では溶融樹脂同士が合流したときに完全に混ざり合う前に固化する現象が生じることがある。この現象は、ひび割れのような跡、すなわちウェルドラインを樹脂成形品に残すとともに、樹脂成形品の強度を低下させる原因になる。
【０００５】
カード用コネクタの作製においては、複数の端子のそれぞれの一部をインサート成形によってケースの端子埋設部に埋設することが行われ、この際、端子埋設部にウェルドラインが生じやすい。
【０００６】
前述した従来技術では、ウェルドラインが端子埋設部を分断するように延びやすく、端子埋設部がウェルドラインの位置で折れ曲がりやすくなるという問題があった。
【０００７】
カード用コネクタを薄型化する場合、端子埋設部の肉厚寸法も小さくする必要があり、端子埋設部を分断するように延びたウェルドラインは、端子埋設部の強度の確保に対する障害になる。
【０００８】
本発明は、前述の実状を考慮してなされたもので、その目的は、並列する複数の端子のそれぞれの一部を埋設する端子埋設部を有するカード用コネクタにおいて、端子埋設部の強度を向上させることができるカード用コネクタを提供することにある。
【課題を解決するための手段】
【０００９】
〔１〕前述の目的を達成するために、本発明は、並列する複数の接点を有するカードが装着されるケースと、このケースに前記カードが装着されたときに、前記複数の接点のそれぞれと接触するよう並列して設けられる複数の端子とを備えるカード用コネクタであって、前記ケースは合成樹脂からなり、前記ケースには、前記複数の端子が並列する方向に延び、前記複数の端子のそれぞれの一部をインサート成形により埋設する端子埋設部が設けられ、前記複数の端子のうち、ウェルドラインの発生が予測される前記端子埋設部の範囲に位置する隣り合う端子において、それらの隣り合う端子のそれぞれの前記端子埋設部に埋設された前記一部は、前記複数の端子が並列する方向に曲がった部分を含むとともに、その曲がった部分が前記ケースの厚さ方向における一方の面で前記端子埋設部から露出したことを特徴とする。
【００１０】
このように構成された本発明は、複数の端子のうち、ウェルドラインの発生が予測される端子埋設部の範囲に位置する隣り合う端子において、それら隣り合う端子のそれぞれの端子埋設部に埋設された一部は、複数の端子が並列する方向に曲がった部分を含むので、ウェルドラインが端子の曲がった部分と交差するように形成されやすい。ウェルドラインが端子の曲がった部分と交差した場合、ウェルドラインの位置に端子埋設部を分断させる方向の力が作用すると、端子の曲がった部分が端子埋設部を繋ぎ止める役割を果たす。これにより、端子埋設部の強度を向上させることができる。
また、ケースの厚さ方向における一方の面で端子埋設部から露出した端子の部分によって、複数の端子が並列する方向とケースの厚さ方向とに直交する方向にウェルドラインが延びるのを阻止することができる。これによっても、端子埋設部の強度を向上させることができる。
【００１１】
〔２〕  本発明は「〔１〕」記載の発明において、前記隣り合う端子のそれぞれの前記曲がった部分は互いに、前記複数の端子が並列する方向と前記ケースの厚さ方向とに直交する方向において部分的に重なって位置するよう設けられたことを特徴とする。
【００１２】
このように構成された本発明では、複数の端子が並列する方向とケースの厚さ方向とに直交する方向において部分的に重なって位置するよう設けられていることによって、ウェルドラインが端子の曲がった部分に、より交差しやすくなり、これによって、端子埋設部の強度をより確実に向上させることができる。
【００１５】
〔３〕  本発明は「〔１〕」または「〔２〕」に記載の発明において、前記隣り合う端子の前記一部のうち、前記曲がった部分が前記一方の面で露出し、前記曲がった部分を挟んで位置する端子の部分のそれぞれが前記ケースの厚さ方向における他方の面で露出したことを特徴とする。
【００１６】
このように構成された本発明では、ケースの厚さ方向における端子埋設部の一方の面において、複数の端子が並列する方向とケースの厚さ方向とに直交する方向にウェルドラインが延びるのを、端子の曲がった部分によって阻止することができる。また、ケースの厚さ方向における端子埋設部の他方の面において、複数の端子が並列する方向とケースの厚さ方向とに直交する方向にウェルドラインが延びるのを、曲がった部分を挟んで位置する端子の部分のそれぞれによって阻止することができる。
【発明の効果】
【００１７】
本発明によれば、端子埋設部の強度を向上させることができるので、カード用コネクタの薄型化に貢献できる。
【発明を実施するための最良の形態】
【００１８】
以下で、本発明のカード用コネクタの最良の実施形態について図を用いて説明する。
【００１９】
図１は本発明のカード用コネクタの最良の実施形態に備えられるケース本体の上面図、図２は図１に示すケース本体の下面図、図３は図１のIII−III断面図、図４は図１のIV部の拡大図、図５は図２のV部の拡大図である。なお、図１は上面図としてあるが、本実施形態を使用する際の上下の向きを定めたものではない。
【００２０】
図１に示す１は、本実施形態に備えられるケース本体である。このケース本体１は、図示しないが金属製のカバーにより上方から覆われている。このカバーとケース本体１とから、並列する複数の接点を有するカード（図示しない）が装着される空間を形成するケースが構成されている。
【００２１】
このケース本体１には、前記ケースに前記カードが装着されたときに、カードの複数の接点のそれぞれと接触する細長い端子３〜１５が並列して設けられている。
【００２２】
ケース本体１は合成樹脂製である。このケース本体１には、端子３〜１５が並列する方向に延び、端子３〜１５のそれぞれの一部をインサート成形により埋設する端子埋設部２が設けられている。端子埋設部２に埋設される端子３〜１５のうち、ウェルドラインの発生が予測される範囲に位置する端子６，７，８のそれぞれの一部は、端子３〜１５が並列する方向に曲がった部分６ａ，７ａ，８ａを含んでいる。
【００２３】
また、隣り合う端子６，７のそれぞれの曲がった部分６ａ，７ａは、端子３〜１５が並列する方向とケースの厚さ方向（図１の紙面に直交する方向）とに平行な面に投影されると、部分的に重なるように設けられている。同様に、隣り合う端子７，８のそれぞれの曲がった部分７ａ，８ａも、端子３〜１５が並列する方向とケースの厚さ方向とに平行な面に投影されると、部分的に重なるように設けられている。
【００２４】
また、本実施形態では、端子埋設部２は、ケースの厚さ方向における一方の面及び他方の面の少なくとも一方で、端子６，７，８のそれぞれの一部を部分的に露出させている。例えば、図５に示すように、曲がった部分６ａ，７ａ，８ａが一方の面である下面で露出している。そして、図４に示すように、曲がった部分６ａを挟んで位置する端子の部分６ｂと６ｃ、曲がった部分７ａを挟んで位置する端子の部分７ｂと７ｃ、曲がった部分８ａを挟んで位置する端子の部分８ｂと８ｃが、ケースの厚さ方向における他方の面である上面で露出している。
【００２５】
このように構成された本実施形態では、端子６，７，８のそれぞれの曲がった部分６ａ，７ａ，８ａのうちのいずれかとウェルドラインとが交差した場合、例えば図４に示すように端子７の曲がった部分７ａとウェルドライン２０とが交差した場合、ウェルドライン２０の位置で端子埋設部２を分断させる方向の力が作用すると、曲がった部分７ａが端子埋設部２を繋ぎ止める役割を果たす。これにより、端子埋設部２の強度を向上させることができる。したがって、カード用コネクタの薄型化に貢献できる。
【００２６】
また、隣り合う端子６，７のそれぞれの曲がった部分６ａ，７ａは、端子３〜１５が並列する方向とケースの厚さ方向とに平行な面に投影されると、部分的に重なるように設けられていて、同様に、隣り合う端子７，８のそれぞれの曲がった部分７ａ，８ａは、端子３〜１５が並列する方向とケースの厚さ方向とに平行な面に投影されると、部分的に重なるように設けられている。これにより、ウェルドラインが曲がった部分６ａ，７ａ，８ａとより交差しやすくなる。したがって、端子埋設部２の強度をより確実に向上させることができる。
【００２７】
また、図５に示すように、ケースの厚さ方向における端子埋設部２の一方の面である下面において、端子３〜１５が並列する方向とケースの厚さ方向とに直交する方向にウェルドライン２０，２１が延びるのを、端子７の曲がった部分７ａによって阻止することができる。また、図４に示すように、ケースの厚さ方向における端子埋設部２の他方の面である上面において、端子３〜１５が並列する方向とケースの厚さ方向とに直交する方向にウェルドライン２０が延びるのを、端子の部分７ｂによって阻止することができる。端子６の曲がった部分６ａ、及び曲がった部分６ａを挟んで位置する端子６の部分６ｂや、端子８の曲がった部分８ａ、及び曲がった部分８ａを挟んで位置する端子８の部分８ｂでも同様にして、ウェルドラインが延びるのを阻止することができる。これらによっても端子埋設部２の強度を向上させることができる。
【図面の簡単な説明】
【００２８】
【図１】本発明のカード用コネクタの最良の実施形態に備えられるケースの内部を示す上面図である。
【図２】図１に示すケースの下面図である。
【図３】図１のIII−III断面図である。
【図４】図１のIV部の拡大図である。
【図５】図２のV部の拡大図である。
【符号の説明】
【００２９】
１                ケース本体
２                端子埋設部
３〜１５          端子
６ａ，７ａ，８ａ  曲がった部分
６ｂ，７ｂ，８ｂ  端子の部分
６ｃ，７ｃ，８ｃ  端子の部分
２０，２１        ウェルドライン
【図１】
0004669774.tif 000002
【図２】
0004669774.tif 000003
【図３】
0004669774.tif 000004
【図４】
0004669774.tif 000005
【図５】
0004669774.tif 000006